(57)【要約】      （修正有）【課題】複数モードの何れかに切替えられるマイクロメモリカードとそのインタフェース切替検知方法を提供する。【解決手段】マルチマイクロメモリカードは、第一端及び第二端からなるケースと、第一端及び第二端に形成されデータと制御信号を発信/受信するための第一組並びに第二組の接触端子と、第一組の接触端子と第二組の接触端子に電気的に接続し、第一組の接触端子と第二組の接触端子を通して外部からの信号を受信する制御装置とを備える。制御装置は、第一組の接触端子のみにより外部からの信号を受信するときに、マルチマイクロメモリカードを第一モードにするように制御し、第二組の接触端子のみにより外部からの信号を受信するときに、マルチマイクロメモリカードを第二モードにするように制御し、第一組の接触端子と第二組の接触端子で外部からの信号を受信するときに、マルチマイクロメモリカードを第三モードにするように制御する。【選択図】図５
2007299377.tif 000002
【特許請求の範囲】
【請求項１】
第一端及び第二端を含むケースと、
前記ケースに設置されデータを保存するためのメモリカードと、
前記第一端に形成されデータと制御信号を発信/受信するための第一組の接触端子と、
前記第二端に形成されデータと制御信号を発信/受信するための第二組の接触端子と、
前記第一組の接触端子と前記第二組の接触端子に電気的に接続し前記第一組の接触端子と第二組の接触端子を通して外部からの信号を受信するための制御装置とを備え、
前記制御装置は、前記第一組の接触端子のみにより外部からの信号を受信するときに、マルチマイクロメモリカードを第１メモリカードに対応する第一モードにするように制御し、第二組の接触端子のみにより外部からの信号を受信するときに、前記マルチマイクロメモリカードを前記第１メモリカードと規格の異なる第２メモリカードに対応する第二モードにするように制御し、且つ同時に前記第一組の接触端子と第二組の接触端子で外部からの信号を受信するときに、前記マルチマイクロメモリカードを前記第１及び第２メモリカードの両方に対応する第三モードにするように制御することを特徴とするマルチマイクロメモリカード。
【請求項２】
前記制御装置が第一組の接触端子と第二組の接触端子を通して第一と第二電圧信号を検知することにより、前記マルチマイクロメモリカードの動作モードを決めることを特徴とする請求項１に記載するマルチマイクロメモリカード。
【請求項３】
前記ケースの前記第一端は、第一設備接続標準に合致すると共に前記第一設備接続標準に合致する設備によるメモリに対するアクセスを承認する第一設備コネクターを含み、前記ケースの前記第二端は第二設備接続標準に合致すると共に、前記第二設備接続標準に合致する設備によるメモリに対するアクセスを承認する第二設備コネクターを含み、前記第一組の接触端子は前記第一設備コネクターに設置し、前記第二組の接触端子は前記第二設備コネクターに設置することを特徴とする請求項１に記載するマルチマイクロメモリカード。
【請求項４】
前記第一組の接触端子は８個の接触端子を含むことを特徴とする請求項３に記載するマルチマイクロメモリカード。
【請求項５】
前記第一設備接続標準はMMCmicro標準であることを特徴とする請求項４に記載するマルチマイクロメモリカード。
【請求項６】
前記第二組の接触端子は１０個の接触端子を含むことを特徴とする請求項３に記載するマルチマイクロメモリカード。
【請求項７】
前記第二設備接続標準はmicroSD標準であることを特徴とする請求項６に記載するマルチマイクロメモリカード。
【請求項８】
前記第一組の接触端子は８個の接触端子を含み、前記第二組の接触端子は１０個の接触端子を含むことを特徴とする請求項３に記載するマルチマイクロメモリカード。
【請求項９】
前記第一設備接続標準はMMCmicro標準で前記第二設備接続標準はmicroSD標準であることを特徴とする請求項８に記載するマルチマイクロメモリカード。
【請求項１０】
前記第一モードに応じて、前記制御装置は前記第一組の接触端子をMMCmicro標準に従うように制御し、前記第二モードに応じて、前記制御装置は第二組の接触端子をmicroSD標準に従うように制御し、前記第三モードに応じて、前記制御装置は第一組の接触端子と第二組の接触端子をMMＣ4.0標準に従うように制御することを特徴とする請求項１に記載するマルチマイクロメモリカード。
【請求項１１】
マルチマイクロメモリカードに第一端と第二端を形成し、これら第一端と第二端に、それぞれ、前記マルチマイクロメモリカードのメモリに対してデータと制御信号を受信/発信するための第一組の接触端子と第二組の接触端子を設置する工程と、
前記第一組の接触端子のみにより外部からの信号を受信するときに、前記マルチマイクロメモリカードを第１メモリカードに対応する第一モードにするように制御する工程と、
前記第二組の接触端子のみにより外部からの信号を受信するときに、前記マルチマイクロメモリカードを前記第１メモリカードと規格の異なる第２メモリカードに対応する第二モードにするように制御する工程と、
前記第一組の接触端子と第二組の接触端子で外部からの信号を受信するときに、前記マルチマイクロメモリカードを前記第１及び第２メモリカードの両方に対応する第三モードにするように制御する工程を含み、マルチマイクロメモリカードが複数モード間での切り替えを検知することを特徴とするマルチマイクロメモリカードのインタフェース切替検知方法。
【請求項１２】
さらに第一組の接触端子と第二組の接触端子を通して第一と第二電圧信号を検知することにより、前記マルチマイクロメモリカードの動作モードを決める工程を含むことを特徴とする請求項１１に記載するマルチマイクロメモリカードのインタフェース切替検知方法。
【請求項１３】
前記マルチマイクロメモリカードの前記第一端は第一設備接続標準に合致すると共に、前記第一設備接続標準に合致する設備によるメモリに対するアクセスを承認する第一設備コネクターを含み、前記マルチマイクロメモリカードの前記第二端は第二設備接続標準に合致すると共に前記第二設備接続標準に合致する設備によるメモリに対するアクセスを承認する第二設備コネクターを含み、前記第一組の接触端子は前記第一設備コネクターに設置し、前記第二組の接触端子は前記第二設備コネクターに設置することを特徴とする請求項１１に記載するマルチマイクロメモリカードのインタフェース切替検知方法。
【請求項１４】
前記第一組の接触端子は８個の接触端子を含むことを特徴とする請求項１３に記載するマルチマイクロメモリカードのインタフェース切替検知方法。
【請求項１５】
前記第一設備接続標準はMMCmicro標準であることを特徴とする請求項１４に記載するマルチマイクロメモリカードのインタフェース切替検知方法。
【請求項１６】
前記第二組の接触端子は１０個の接触端子を含むことを特徴とする請求項１３に記載するマルチマイクロメモリカードのインタフェース切替検知方法。
【請求項１７】
前記第二設備接続標準がmicroSD標準であることを特徴とする請求項１６に記載するマルチマイクロメモリカードのインタフェース切替検知方法。
【請求項１８】
前記第一組の接触端子は８個の接触端子を含み、前記第二組の接触端子が１０個の接触端子を含むことを特徴とする請求項１３に記載するマルチマイクロメモリカードのインタフェース切替検知方法。
【請求項１９】
前記第一設備接続標準はMMCmicro標準で、前記第二設備接続標準がmicroSD標準であることを特徴とする請求項１８に記載するマルチマイクロメモリカードのインタフェース切替検知方法。
【請求項２０】
前記第一モードに応じて、前記制御装置は前記第一組の接触端子をMMCmicro標準に従うように制御し、前記第二モードに応じて、前記制御装置は第二組の接触端子をmicroSD標準に従うように制御し、前記第三モードに応じて、前記制御装置は第一組の接触端子と第二組の接触端子をMMＣ4.0標準に従うように制御することを特徴とする請求項１１に記載するマルチマイクロメモリカードのインタフェース切替検知方法。
【発明の詳細な説明】
【技術分野】
【０００１】
本発明はマイクロメモリカードに関し、特に複数モードの何れかに切替えられるマイクロメモリカードとそのインタフェース切替検知方法に関する。
【背景技術】
【０００２】
電子設備の小型化や複雑化に伴い、小型メモリカードのニーズは増加の一途を辿っている。このためマイクロフラッシュメモリのメモリカードが店頭に出回り、交換可能なメモリカードが必要な小型電子設備に使用される。
【０００３】
図１は現行技術のMMCmicroメモリカード１０の正面図で、図２は現行技術のmicroSDメモリカード２０の正面図である。MMCmicroメモリカード１０及びmicroSDメモリカード２０は何れもマイクロフラッシュメモリのメモリカードと看做される。しかしMMCmicroメモリカード１０はMMCmicroスロットを通して読み取らねばならず、microSDスロットを通して読み取ることはできない。microSDメモリカード２０もこうした問題があり、即ちMMCmicroスロットを読み取ることはできないのである。
【０００４】
このためMMCmicroメモリカード１０とmicroSDメモリカード２０のサイズが類似していても、互換性がない問題によってユーザーは幾多の不便を感じており、ユーザーはメモリカードとスロットを相互にマッチングさせなけらばならないのである。
【発明の開示】
【発明が解決しようとする課題】
【０００５】
本発明の主な目的はMMCmicroスロットともmicroSDスロットとも互換性のあるマルチマイクロメモリカードを提供することであり、また、前記マルチマイクロメモリカードがデータ及び制御信号を送受信する為に使用されるマルチマイクロメモリカードのインタフェース切替検知方法をも提供することである。
【課題を解決するための手段】
【０００６】
本発明は、マルチマイクロメモリカード及びその最良の実施形態を開示する。前記マルチマイクロメモリカードは、第一端及び第二端を含むケースと、
ケースに設置されるデータ保存用のメモリーカードと、前記第一端に形成されデータと制御信号を送受信するための第一組の接触端子と、前記第二端に形成されデータと制御信号を送受信するための第二組の接触端子と、前記第一組の接触端子と前記第二組の接触端子に電気的に接続し前記第一組の接触端子と第二組の接触端子を通して外部からの信号を受信する制御装置を含む。この構成において、前記制御装置は、前記第一組の接触端子のみにより外部からの信号を受信するときに、前記マルチマイクロメモリカードを第１メモリカードに対応する第一モードにするように制御し、第二組の接触端子のみにより外部からの信号を受信するときに、前記マルチマイクロメモリカードを前記第１メモリカードと規格の異なる第２メモリカードに対応する第二モードにするように制御し、且つ前記第一組の接触端子と第二組の接触端子で外部からの信号を受信するときに、前記マルチマイクロメモリカードを前記第１及び第２メモリカードの両方に対応する第三モードにするように制御することを特徴とする。
【０００７】
本発明は、マルチマイクロメモリカードのインタフェース切替検知方法及びその最良の実施形態を開示する。前記方法は、マルチマイクロメモリカードの第一端と第二端にそれぞれマルチマイクロメモリカードに対してデータと制御信号の送受信をする第一組の接触端子と第二組の接触端子を設置し、前記第一組の接触端子のみにより外部からの信号を受信するときに、マルチマイクロメモリカードを第１メモリカードに対応する第一モードにするように制御する。また、第二組の接触端子のみにより外部からの信号を受信するときに、マルチマイクロメモリカードを前記第１メモリカードと規格の異なる第２メモリカードに対応する第二モードにするように制御し、前記第一組の接触端子と第二組の接触端子で外部からの信号を受信するときに、マルチマイクロメモリカードを前記第１及び第２メモリカードの両方に対応する第三モードにするように制御する。
【０００８】
本発明のマルチマイクロメモリカードの長所は、受信した信号に基いて自動的にどのモードにするかを判断できることにある。これによって本発明のマイクロメモリカードは三種類のスロットに使用可能である。即ち、マルチマイクロメモリカードは、第一設備接続標準に合致したスロット、第二設備接続標準に合致したスロット、及び第一と第二設備接続標準の両者に合致しメモリカードと通信するスロットに接続可能である。
【０００９】
本発明の特徴及び技術内容への理解を深めるために、下記の本発明に関連した詳細な説明並びに添付図面を参照するが、添付図面は参考用並びに説明用として提供したに過ぎず、本発明に制限を加えるものではない。
【発明を実施するための最良の形態】
【００１０】
図３は本発明のマルチマイクロメモリカード１００の正面図である。マルチマイクロメモリカード１００は第一ケース１１０と第二ケース１２０を含み、両者はワンセットとなって完全なケースを形成している。第一ケース１１０はマルチマイクロメモリカード１００の第一端に形成され、且つMMCmicroメモリカード標準に合致しており、第二ケース１２０はマルチマイクロメモリカード１００の第二端に形成され、且つmicroSDメモリカード標準に合致している。このほか、マルチマイクロメモリカード１００は第一ケース１１０並びに第二ケース１２０でデータ読み取り並びに書き込みを行なうための新たなメモリカード標準を形成する。このため、マルチマイクロメモリカード１００はMMCmicroメモリカード標準、microSDメモリカード標準及び新たなマルチマイクロメモリカード１００規格の三種類のマイクロメモリカード規格と互換性がある。
【００１１】
図４はマルチマイクロメモリカード１００の正面透視図である。図で示すように、第一ケース１１０は第二ケース１２０より厚みがあって広い。これはMMCmicroメモリカードとmicroSDメモリカード規格のサイズが異なることによるものである。図５はマルチマイクロメモリカード１００の裏面透視図である。第一ケース１１０は一組１０個の第一接触端子１１２を含み、第二ケース１２０は一組８個の第二接触端子１２２を含み、MMCmicroメモリカード標準とmicroSDメモリカード標準に合致している。
【００１２】
図６はマルチマイクロメモリカード１００の裏面図で、第一組の接触端子１１２と第二組の接触端子１２２のパッド番号を示している。第一組の接触端子１１２の番号は１から１０までで、第二組の接触端子１２２の番号は１１から１８までである。表１はマルチマイクロメモリカードが異なるモードにある際のマルチマイクロメモリカードの接触端子の機能を説明する表である。
【００１３】
【表１】
2007299377.tif 000003
【００１４】
マルチマイクロメモリカード１００がMMCmicroメモリカード標準或いはmicroSDメモリカード標準に従う際には、合計４個のデータ接触端子（ＤＡＴ０-ＤＡＴ３）でデータの読み取り並びに書き込みを行なう。しかし、同時に第一組の接触端子１１２と第二組の接触端子１２２を使用すると、マルチマイクロメモリカード１００はＭＭＣ４.０標準に合致して、且つ８個の接触端子（ＤＡＴ０-ＤＡＴ７）が使用できるようになる。このため同時に第一組の接触端子１１２と第二組の接触端子１２２でデータの読み取り若しくは入力をすると、マルチマイクロメモリカード１００は二倍のデータ伝送量の能力を供与できる。
【００１５】
図７は本発明に基くマルチマイクロメモリカード１００の機能ブロック図である。マルチマイクロメモリカード１００はホストコンピューターのスロットのコネクターに設置された場合、マルチマイクロメモリカード１００が第一組の接触端子１１２と第二組の接触端子１２２を、若しくは第一組の接触端子１１２と第二組の接触端子１２２を介して信号を受信する。第一組の接触端子１１２と第二組の接触端子１２２が全く信号を受信しない場合、マルチマイクロメモリカード１００はホストコンピューターのスロットコネクターと適合しない可能性がある。図７に示すように、第一組の接触端子１１２と第二組の接触端子１２２を通して受信する信号はそれぞれ電圧信号ＶＤＤ１とＶＤＤ２である。このほかに、さらにクロック信号ＣＬＫ１とＣＬＫ２を受信し、データと制御信号を送信する速度を制御する。
【００１６】
電圧信号ＶＤＤ１とＶＤＤ２並びにクロック信号ＣＬＫ１とＣＬＫ２はそれぞれ制御装置１５０に受信され、制御装置１５０はマルチマイクロメモリカード１００の動作モードを制御してマルチマイクロメモリカード１００の不揮発メモリ１７０にアクセスする。さらに、電源調整回路１６０はダイオードＤ１から電圧信号ＶＤＤ１を受信し、さらにダイオードＤ２から電圧信号ＶＤＤ２を受信し、マルチマイクロメモリカード１００の内部ＶＤＤ電圧を発生させる。
【００１７】
マルチマイクロメモリカード１００が第一組の接触端子１１２のみから電圧信号ＶＤＤ１を受信し、第二組の接触端子１２２からの電圧信号を受信しない場合、マルチマイクロメモリカード１００はMMCmicroモードで動作し、表１が示す第２列のパッド割り当て状態になる。他方、マルチマイクロメモリカード１００が第二組の接触端子１２２からのみ電圧信号ＶＤＤ２を受信し、第一組の接触端子１１２からは電圧信号を受信しない場合、マルチマイクロメモリカード１００はmicroSDモードで動作し、表１が示す第３列のパッド割り当て状態になる。最後に、マルチマイクロメモリカード１００が既に第一組の接触端子１１２から電圧信号ＶＤＤ１を受信し、また第二組の接触端子１２２からも電圧信号ＶＤＤ２を受信する場合、マルチマイクロメモリカード１００はＭＭＣ４.０モードで動作し、表１が示す第４列のパッド割り当て状態になる。上記の如く、ＭＭＣ４.０モードは第一組の接触端子１１２並びに第二組の接触端子１２２の全ての接触端子を使用することにより、４個ではなく８個のデータ使用端子を使用することとなるので、データ伝送量は単独でMMCmicroモード若しくはmicroSDモードで動作する時の二倍となるのである。
【００１８】
図８は本発明に基くマルチマイクロメモリカード１００についてどのインターフェースを使用しているかの検知手順を説明するフローチャートである。フローチャートに含まれる工程の説明は下記の通りである。
・工程２００：マルチマイクロメモリカード１００をホストコンピューターのスロットコネクターに設置した後、ホストコンピューターを通じてマルチマイクロメモリカード１００に電力を供給する。
・工程２０２：第二組の接触端子１２２が電圧ＶＤＤ２を検知したか否かを判断する。検知した場合工程２１０へ進み、検知しない場合は工程２０４へ進む。
・工程２０４：第一組の接触端子１１２が電圧ＶＤＤ１を検知したか否かを判断する。検知した場合工程２０８へ進み、検知しない場合は工程２０６へ進む。
・工程２０６：第一組の接触端子１１２も第二組の接触端子１２２も電圧を検知しないので、マルチマイクロメモリカード１００はホストコンピューターに使用できない。マルチマイクロメモリカード１００はホストコンピューターのスロットコネクターに適合していない可能性があるか、若しくはホストコンピューターのスロットコネクターに適切に接触するように位置を逆にして挿入する必要がある。
・工程２０８：マルチマイクロメモリカード１００は第一組の接触端子１１２を利用してMMCmicroモードで動作する。
・工程２１０：第一組の接触端子１１２が電圧ＶＤＤ１を検知したか否かを判断する。検知した場合、工程２１４に進み、検知しない場合は工程２１２に進む。
・工程２１２：マルチマイクロメモリカード１００は第二組の接触端子１２２を利用してmicroSDモードで動作する。
・工程２１４：マルチマイクロメモリカード１００は第一組の接触端子１１２並びに第二組の接触端子１２２を利用してＭＭＣ４.０モードで動作する。
【００１９】
総じて言えば、本発明のマルチマイクロメモリカード１００はMMCmicroメモリカード標準と互換性があり、またmicroSDメモリカード標準とも互換性がある。このほか、マルチマイクロメモリカード１００は新しいモードで使用可能で、第一組の接触端子１１２並びに第二組の接触端子１２２の合計１８個のピンを利用するが、４個ではなく８個のデータピンを使用するのでデータ伝送速度が二倍になるのである。本発明はマルチマイクロメモリカード１００を、どの動作モードにするかを速やかに判断して、ホストコンピューターのスロットコネクターと接続する方法を提供している。第一組の接触端子１１２或いは第二組の接触端子１２２が信号を受信しているのかを判断して、適当な動作モードを選択する。
【００２０】
上記内容は本発明の好ましい実施例に過ぎず、本発明の特許請求の範囲を限定するものではなく、当業者が本発明の範囲内において実施した改変若しくは補正は全て本発明の特許請求の範囲内に含まれるものである。
【図面の簡単な説明】
【００２１】
【図１】従来のMMCmicroメモリカードの正面図である。
【図２】従来のmicroSDメモリカードの正面図である。
【図３】本発明のマルチマイクロメモリカードの正面図である。
【図４】本発明のマルチマイクロメモリカードの正面透視図である。
【図５】本発明のマルチマイクロメモリカードの裏面透視図である。
【図６】本発明の第一組の接触端子並びに第二組の接触端子のパッド番号を示したマルチマイクロメモリカードの裏面図である。
【図７】本発明のマルチマイクロメモリカードの機能ブロック図である。
【図８】本発明に基くマルチマイクロメモリカードについてどのインターフェースを使用するかの検知手順を説明したフローチャートである。
【符号の説明】
【００２２】
１００  マルチマイクロメモリカード
１１０ 第一ケース
１２０  第二ケース
１１２  第一接触端子
１２２  第二接触端子
１５０  制御装置
１６０  電源調整回路
１７０  非揮発メモリ
【図１】
2007299377.tif 000004
【図２】
2007299377.tif 000005
【図３】
2007299377.tif 000006
【図４】
2007299377.tif 000007
【図５】
2007299377.tif 000008
【図６】
2007299377.tif 000009
【図７】
2007299377.tif 000010
【図８】
2007299377.tif 000011